【手続補正書】
【提出日】令和2年2月20日(2020.2.20)
【手続補正１】
【補正対象書類名】特許請求の範囲
【補正対象項目名】全文
【補正方法】変更
【補正の内容】
【特許請求の範囲】
【請求項１】
デバイスにおいて、１つまたは複数のチャネル間帯域幅拡張（ＢＷＥ）パラメータを含む少なくとも１つの符号化されたオーディオ信号を受信することと、
前記デバイスにおいて、前記少なくとも１つの符号化されたオーディオ信号に基づいて帯域幅拡張を実施することによってミッドチャネル時間領域ハイバンドオーディオ信号を生成することと、
前記ミッドチャネル時間領域ハイバンドオーディオ信号と前記１つまたは複数のチャネル間ＢＷＥパラメータとに基づいて、第１のチャネル時間領域ハイバンドオーディオ信号と第２のチャネル時間領域ハイバンドオーディオ信号とを生成することと、
前記デバイスにおいて、前記第１のチャネル時間領域ハイバンドオーディオ信号と第１のチャネルローバンドオーディオ信号とを合成することによってターゲットチャネルオーディオ信号を生成することと、
前記デバイスにおいて、前記第２のチャネル時間領域ハイバンドオーディオ信号と第２のチャネルローバンドオーディオ信号とを合成することによって基準チャネルオーディオ信号を生成することと、
前記デバイスにおいて、時間的ずれ値に基づいて前記ターゲットチャネルオーディオ信号を変更することによって、変更されたターゲットチャネルオーディオ信号を生成することと
を備える、通信の方法。
【請求項２】
前記デバイスにおいて、前記少なくとも１つの符号化されたオーディオ信号に基づいてミッドチャネルローバンドオーディオ信号とサイドチャネルローバンドオーディオ信号とを生成することをさらに備え、前記第１のチャネルローバンドオーディオ信号および前記第２のチャネルローバンドオーディオ信号は、前記ミッドチャネルローバンドオーディオ信号と、前記サイドチャネルローバンドオーディオ信号と、利得パラメータとに基づく、
請求項１に記載の方法。
【請求項３】
前記変更されたターゲットチャネルオーディオ信号に基づいて第１の出力オーディオ信号を生成することと、
前記基準チャネルオーディオ信号に基づいて第２の出力オーディオ信号を生成することと
をさらに備える、請求項１に記載の方法。
【請求項４】
前記第１の出力オーディオ信号を第１のスピーカーに与えることと、
前記第２の出力オーディオ信号を第２のスピーカーに与えることと
をさらに備える、請求項３に記載の方法。
【請求項５】
前記デバイスにおいて前記時間的ずれ値を受信することをさらに備え、
前記変更されたターゲットチャネルオーディオ信号は、前記ターゲットチャネルオーディオ信号の第１のサンプルを、前記基準チャネルオーディオ信号の第２のサンプルに対して、前記時間的ずれ値に基づく量だけ時間的にシフトすることによって生成される、
請求項１に記載の方法。
【請求項６】
前記デバイスは、モバイル通信デバイスを備える、
請求項１に記載の方法。
【請求項７】
前記デバイスは、基地局を備える、
請求項１に記載の方法。
【請求項８】
プロセッサによって実行されたとき、前記プロセッサに、請求項１乃至７のいずれか１項に従う方法を実施させる命令を記憶する、コンピュータ可読記憶デバイス。
【請求項９】
１つまたは複数のチャネル間帯域幅拡張（ＢＷＥ）パラメータを含む少なくとも１つの符号化されたオーディオ信号を受信するための手段と、
前記少なくとも１つの符号化されたオーディオ信号に基づいて帯域幅拡張を実施することによってミッドチャネル時間領域ハイバンドオーディオ信号を生成するための手段と、
前記ミッドチャネル時間領域ハイバンドオーディオ信号と前記１つまたは複数のチャネル間ＢＷＥパラメータとに基づいて、第１のチャネル時間領域ハイバンドオーディオ信号と第２のチャネル時間領域ハイバンドオーディオ信号とを生成するための手段と、
前記第１のチャネル時間領域ハイバンドオーディオ信号と第１のチャネルローバンドオーディオ信号とを合成することによってターゲットチャネルオーディオ信号を生成するための手段と、
前記第２のチャネル時間領域ハイバンドオーディオ信号と第２のチャネルローバンドオーディオ信号とを合成することによって基準チャネルオーディオ信号を生成するための手段と、
時間的ずれ値に基づいて前記ターゲットチャネルオーディオ信号を変更することによって、変更されたターゲットチャネルオーディオ信号を生成するための手段と
を備える、装置。
【請求項１０】
前記１つまたは複数のチャネル間ＢＷＥパラメータは、調整利得パラメータのセット、調整スペクトル形状パラメータ、またはそれらの組合せを含む、
請求項９に記載の装置。
【請求項１１】
前記受信するための手段は、１つまたは複数のＢＷＥパラメータを受信するようにさらに構成され、前記装置は、
前記少なくとも１つの符号化されたオーディオ信号に基づいてミッドチャネルローバンドオーディオ信号を生成することと、
前記１つまたは複数のＢＷＥパラメータに基づいて前記ミッドチャネルローバンドオーディオ信号に対して帯域幅拡張を実施することによって前記ミッドチャネル時間領域ハイバンドオーディオ信号を生成することと
を行うようにさらに構成された、請求項９に記載の装置。
【請求項１２】
前記少なくとも１つの符号化されたオーディオ信号に基づいて、ミッドチャネルローバンドオーディオ信号とサイドチャネルローバンドオーディオ信号とを生成することと、
前記ミッドチャネルローバンドオーディオ信号と前記サイドチャネルローバンドオーディオ信号とをアップミックスすることによって、前記第１のチャネルローバンドオーディオ信号と前記第２のチャネルローバンドオーディオ信号とを生成することと
を行うようにさらに構成された、請求項９に記載の装置。
【請求項１３】
前記少なくとも１つの符号化されたオーディオ信号を前記受信するための手段、前記ミッドチャネル時間領域ハイバンドオーディオ信号を前記生成するための手段、前記第１のチャネル時間領域ハイバンドオーディオ信号と前記第２のチャネル時間領域ハイバンドオーディオ信号とを前記生成するための手段、前記ターゲットチャネルオーディオ信号を前記生成するための手段、前記基準チャネルオーディオ信号を前記生成するための手段、および前記変更されたターゲットチャネルオーディオ信号を前記生成するための手段は、モバイルフォン、通信デバイス、コンピュータ、音楽プレーヤ、ビデオプレーヤ、エンターテインメントユニット、ナビゲーションデバイス、携帯情報端末（ＰＤＡ）、デコーダ、またはセットトップボックスのうちの少なくとも１つに組み込まれる、
請求項９に記載の装置。
【請求項１４】
前記少なくとも１つの符号化されたオーディオ信号を前記受信するための手段、前記ミッドチャネル時間領域ハイバンドオーディオ信号を前記生成するための手段、前記第１のチャネル時間領域ハイバンドオーディオ信号と前記第２のチャネル時間領域ハイバンドオーディオ信号とを前記生成するための手段、前記ターゲットチャネルオーディオ信号を前記生成するための手段、前記基準チャネルオーディオ信号を前記生成するための手段、および前記変更されたターゲットチャネルオーディオ信号を前記生成するための手段は、モバイル通信デバイスに組み込まれる、
請求項１０に記載の装置。
【請求項１５】
前記少なくとも１つの符号化されたオーディオ信号を前記受信するための手段、前記ミッドチャネル時間領域ハイバンドオーディオ信号を前記生成するための手段、前記第１のチャネル時間領域ハイバンドオーディオ信号と前記第２のチャネル時間領域ハイバンドオーディオ信号とを前記生成するための手段、前記ターゲットチャネルオーディオ信号を前記生成するための手段、前記基準チャネルオーディオ信号を前記生成するための手段、および前記変更されたターゲットチャネルオーディオ信号を前記生成するための手段は、基地局に組み込まれる、
請求項１０に記載の装置。